(57)【要約】【課題】マクロ基地局と低送信電力基地局が混在するシステムにおいて、ｅＩＣＩＣアソシエートを正確に設定することで、過剰なＡｌｍｏｓｔ  Ｂｌａｎｋ  Ｓｕｂｆｒａｍｅ（ＡＢＳ）設定によるシステム全体性能の劣化を防ぐ。【解決手段】他の基地局に対して干渉を及ぼすマクロ基地局から干渉を受け得る低送信電力基地局を備える無線通信システムにおいて、低送信電力基地局３に接続する端末２に受信電力最大のセルのＩＤと受信電力を周期的に報告させ、端末２から受信した受信電力値を予め設定された閾値と比較し、予め設定された閾値を上回る受信電力が報告された数が最多のセルを、オーバーラップしているマクロ基地局１と見なし、そのマクロ基地局と自基地局にｅＩＣＩＣアソシエートを設定し、オーバーラップしていないマクロ基地局１とはｅＩＣＩＣアソシエートを設定しない。【選択図】図４Ａ
2016006929.tif 000002
【特許請求の範囲】
【請求項１】
第１の基地局と第２の基地局を含む複数の基地局を備え、設定される少なくとも２つの基地局の組で、同時間帯の送信電力を調整して干渉制御を行う無線通信システムであって、
前記第２の基地局は、
配下の端末に対し、第２の基地局以外の前記複数の基地局からの受信電力が最大の基地局を特定し、該基地局の識別子と該受信電力を周期的に報告するよう指示する指示部と、
前記端末から報告される受信電力が所定値を上回る回数を基地局ごとに管理し、該所定値を上回る受信電力が報告された数が最多の前記第１の基地局を特定し、特定された第１の基地局と自第２の基地局とで、前記基地局の組を構成する判定部と
を有する前記無線通信システム。
【請求項２】
前記干渉制御は、ｅＩＣＩＣであり、前記第２の基地局により前記基地局の組を構成することでｅＩＣＩＣアソシエートを自動で行う請求項１に記載の無線通信システム。
【請求項３】
前記第２基地局の前記判定部は、
前記所定値を上回る受信電力が報告された数が最多の基地局及び所定数以上の基地局を、第２の基地局とセルがオーバーラップしている前記第１の基地局として特定する請求項１又は２に記載の無線通信システム。
【請求項４】
前記第２基地局の前記判定部は、前記第１基地局以外の基地局とは、ｅＩＣＩＣアソシエートを設定しない請求項１乃至３のいずれかに記載の無線通信システム。
【請求項５】
前記第１の基地局は、カバーするセルが比較的大きいマクロ基地局であり、前記第２の基地局は、前記第１の基地局と比べてカバーするセルが小さい低送信電力基地局であり、前記第１の基地局がカバーするセル内に、前記第２の基地局が配置されている請求項１乃至４のいずれかに記載の無線通信システム。
【請求項６】
前記所定値は、予め設定された閾値である請求項１乃至５のいずれかに記載の無線通信システム。
【請求項７】
前記指示部は、配下の端末に対し、自基地局からの受信電力も報告するよう指示し、
前記判定部は、前記端末から報告される第２の基地局以外からの受信電力と、第２の基地局からの受信電力との差が予め定められた閾値を上回る回数を基地局ごとに管理し、該閾値を上回る受信電力が報告された数が最多の基地局を、前記第１の基地局として特定する請求項１乃至６のいずれかに記載の無線通信システム。
【請求項８】
前記第２の基地局は、予め定められた期間ごとに、前記指示部及び前記判定部の処理を繰り返し、前記基地局の組を更新する請求項１乃至７のいずれかに記載の無線通信システム。
【請求項９】
第１の基地局と第２の基地局を含む複数の基地局を備え、設定される少なくとも２つの基地局の組で、同時間帯の送信電力を調整して干渉制御を行う無線通信システムにおいて前記第２の基地局として使用される基地局であって、
配下の端末に対し、第２の基地局以外の前記複数の基地局からの受信電力が最大の基地局を特定し、該基地局の識別子と該受信電力を周期的に報告するよう指示する指示部と、
前記端末から報告される受信電力が所定値を上回る回数を基地局ごとに管理し、該所定値を上回る受信電力が報告された数が最多の前記第１の基地局を特定し、特定された第１の基地局と自第２の基地局とで、前記基地局の組を構成する判定部と
を有する前記基地局。
【請求項１０】
第１の基地局と第２の基地局を含む複数の基地局を備え、設定される少なくとも２つの基地局の組で、同時間帯の送信電力を調整して干渉制御を行う無線通信システムにおける
前記基地局のアソシエート設定方法であって、
第２の基地局が、
配下の端末に対し、第２の基地局以外の前記複数の基地局からの受信電力が最大の基地局を特定し、該基地局の識別子と該受信電力を周期的に報告するよう指示することと、
前記端末から報告される受信電力が所定値を上回る回数を基地局ごとに管理し、該所定値を上回る受信電力が報告された数が最多の前記第１の基地局を特定することと、
特定された第１の基地局と自第２の基地局とで、前記基地局の組を構成すること
を含む前記アソシエート設定方法。
【発明の詳細な説明】
【技術分野】
【０００１】
本発明は、無線通信システム、基地局及び基地局のアソシエート設定方法に係り、特に、無線通信システムの基地局同士の干渉制御技術において干渉制御を自動化する無線通信システム、基地局及び基地局のアソシエート設定方法に関する。
【背景技術】
【０００２】
近年、最大通信速度が１００Ｍｂｉｔ／ｓを超えるＬＴＥ（Ｌｏｎｇ  Ｔｅｒｍ  Ｅｖｏｌｕｔｉｏｎ）規格に準拠した無線通信システムが実用化され始めている。
【０００３】
セルラーシステムでは、基地局がカバーする通信エリアはセルと呼ばれる。送信電力が大きく、広範囲な通信エリアをカバーする基地局は、マクロ基地局と呼ばれ、マクロ基地局の通信エリアはマクロセルと呼ばれる。セルラーシステムでは、マクロ基地局をサービスエリア内に分散配置することで、少ない基地局数でシステム全体として広範囲なエリアをカバーしている。しかし、地下やビルの高層階、建物の影等では、マクロ基地局からの電波が届きにくいエリアが存在する。このようなエリアは不感地帯と呼ばれる。加えて、近年、スマートフォンの普及により、無線トラヒックは急速に増大しており、マクロ基地局のみでは無線トラヒックを収容できなくなりつつある。
【０００４】
このような不感地帯の解消やマクロ基地局のトラヒックのオフロードを目的として、送信電力及び通信エリアが小さいピコ基地局やフェムト基地局などの小型基地局が配置される。それらの通信エリアは、スモールセルと呼ばれる。そして、マクロ基地局の通信エリア（マクロセル）内にピコ基地局やフェムト基地局などの送信電力が小さい基地局が配置されたネットワーク構成は、Ｈｅｔｅｒｏｇｅｎｅｏｕｓ  Ｎｅｔｗｏｒｋ（ヘテロジーニアスネットワーク、ＨｅｔＮｅｔ）と呼ばれている。このＨｅｔＮｅｔの技術課題である、送信電力の大きなマクロ基地局からの干渉が、低送信電力基地局に接続された端末の通信品質を大きく劣化させる点に対して、種々の検討がなされている。
【０００５】
関連する先行技術文献として、下記特許文献や非特許文献がある。
【先行技術文献】
【特許文献】
【０００６】
【特許文献１】特開２０１３−２１９７００号公報
【非特許文献】
【０００７】
【非特許文献１】３ＧＰＰ、“Ｏｖｅｒａｌｌ  ｄｅｓｃｒｉｐｔｉｏｎ；Ｓｔａｇｅ  ２（Ｒｅｌｅａｓｅ  １０）”、ＴＳ  ３６．３００、Ｖ１０．５．０，２０１１／０９、ｐｐ．１１６−１１７
【発明の概要】
【発明が解決しようとする課題】
【０００８】
上述したＨｅｔＮｅｔは、図１に示すように、マクロ基地局１の通常エリア内にピコ基地局３−１やフェムト基地局３−２など送信電力が小さい基地局ＬＰＮ３が配置される。マクロ基地局１に接続する端末をマクロ端末２−０、ＬＰＮ３に接続する端末２−１や２−２をＬＰＮ端末２と呼ぶ。図１のＨｅｔＮｅｔにおいて、マクロ基地局１から送信された信号は、ＬＰＮ端末２では、干渉信号として到来することになる。マクロ基地局１の送信電力はＬＰＮ３に比べて大きいため、このようなマクロ基地局１からの干渉は、ＬＰＮ端末２の通信品質を大きく劣化させる原因となる。ＬＴＥの発展規格であるＬＴＥ−Ａｄｖａｎｃｅｄでは、このようなマクロ基地局１からの干渉を低減する技術として、ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ（セル間干渉制御、セル間干渉調整、ｅＩＣＩＣ）が導入されている。ｅＩＣＩＣでは、マクロ基地局１はデータ送信を行わない、もしくは、送信電力を減少する時間を設ける。この時間は、Ａｌｍｏｓｔ  Ｂｌａｎｋ  Ｓｕｂｆｒａｍｅ（ＡＢＳ）と呼ばれる。
【０００９】
図２にマクロ基地局１のＡＢＳパターンの設定の例を示す。Ｆｒｅｑｕｅｎｃｙ  Ｄｉｖｉｓｉｏｎ  Ｄｕｐｌｅｘ（ＦＤＤ）方式では、ＡＢＳは４０Ｓｕｂｆｒａｍｅ単位で設定され、４０ビットのビットマップ形式でマクロ基地局１からＬＰＮ３に通知される。非特許文献１では、この情報は、ＡＢＳ  Ｐａｔｔｅｒｎ  Ｉｎｆｏと呼ばれている。ＡＢＳ  Ｐａｔｔｅｒｎ  Ｉｎｆｏ２０−１では、１つのビットは、各ＳｕｂｆｒａｍｅがＡＢＳであるか否かを表わし、ここでは、値「１」はマクロ基地局１がＡＢＳであることを示し、値「０」はマクロ基地局１が通常の送信電力で送信するＮｏｒｍａｌ  Ｓｕｂｆｒａｍｅ（ＮＳ）であることを示す。このＡＢＳ  Ｐａｔｔｅｒｎ  Ｉｎｆｏ２０−１が４０Ｓｕｂｆｒａｍｅ周期で繰り返される。
【００１０】
ＬＰＮ端末２−１／２は、ＮＳの時間帯では、マクロ基地局１から大きな干渉を受信することになるが、ＡＢＳの時間帯では、パターン２０−３に示すように、マクロ基地局１からの干渉電力が大幅に低減される。その結果、ＬＰＮ３のスループットを改善することができる。この技術は、非特許文献１に開示されている。前述のようなＡＢＳを用いることで、ＬＰＮ端末２−１／２に対するマクロ基地局１からの干渉は低減されるため、ＬＰＮ端末２−１／２のスループットは改善する。低送信電力基地局ＬＰＮ３は極力マクロ基地局から干渉を受けない若しくは低干渉しか受けないＡＢＳの時間帯にデータ送信をスケジューリングすることで、システム全体の性能を向上することができる。
【００１１】
非特許文献１では、例えばマクロ基地局１がＡＢＳの割合、及び、ＡＢＳパターンを決定する仕組みが規定されており、マクロ基地局がどの低送信電力基地局とｅＩＣＩＣのペアリングとして組むべきか（アソシエート）に関する方法については、ＯＡＭ  ｍａｙ  ｃｏｎｆｉｇｕｒｅ  ａｓｓｏｃｉａｔｉｏｎ  ｂｅｔｗｅｅｎ  ｅＮＢｓ  ｔｏ  ｕｓｅ  ｔｈｅ  ｔｉｍｅ−ｄｏｍａｉｎ  ｉｎｔｅｒ−ｃｅｌｌ  ｉｎｔｅｒｆｅｒｅｎｃｅ  ｃｏｏｒｄｉｎａｔｉｏｎ．（ＯＡＭは、時間領域のセル間干渉制御を用いるために、ｅＮＢ間でアソシエートを組むことができる）と規定されている。
【００１２】
しかし、ＯＡＭ（ｏｐｅｒａｔｉｏｎ  ａｄｍｉｎｉｓｔｒａｔｉｏｎ  ａｎｄ  ｍａｉｎｔｅｎａｎｃｅ）だけの設定では実干渉状況が考慮できず、マクロ基地局と低送信電力基地局との間でＡＢＳのアソシエートを過剰に設定することによって、過剰にＡＢＳが生じる恐れがある。例えば、マクロ基地局と低送信電力基地局との間の遮蔽物や、低送信電力基地局が地下に設置されることなどの要因で、低送信電力基地局ＬＰＮ３がマクロ基地局１から干渉を受けないなどの実干渉状況にも関わらず、低送信電力基地局はマクロ基地局１とｅＩＣＩＣのアソシエートを設定されてしまう場合がある。低送信電力基地局ＬＰＮは、ｅＩＣＩＣアソシエートの設定に応じて（ＡＢＳパターンに応じて）データ送信のスケジューリングを行うため、不要なｅＩＣＩＣアソシエートの設定は、低送信電力基地局ＬＰＮ３のスループット等の性能が低下する場合がある。
【００１３】
本発明の目的は、上記の課題を解決し、設定される基地局の組で協調して干渉制御を行うシステムにおいて、基地局の組を適切に設定して、過剰な設定によるシステム全体性能の劣化を防ぐ無線通信システム、基地局及び基地局のアソシエート設定方法を提供することにある。より具体的には、本発明の目的のひとつは、ＨｅｔＮｅｔ環境においてｅＩＣＩＣのアソシエートを適切に設定することで、過剰なｅＩＣＩＣ設定によるシステム全体性能の劣化を防ぐ無線通信システム、基地局及び基地局のアソシエート設定方法を提供することにある。
【課題を解決するための手段】
【００１４】
上記の目的を達成するため、本発明においては、低送信電力基地局が起動後一定期間内に、配下の端末に受信電力最大のセルのＩＤと受信電力を周期的に報告させ、端末から受信した受信電力値を予め設定された閾値と比較し、予め設定された閾値を上回る受信電力が報告された数が最多のセルを、オーバーラップしているマクロ基地局と見なし、ｅＩＣＩＣアソシエートを自動的に行う方法を提供する。
セル内にビルの新築や解体などによって電波環境に変化が発生する可能性があるため、一定の期間（例えば一か月）毎に、低送信電力基地局が配下にある端末に受信電力最大セルＩＤ及び受信電力を報告させ、報告された情報を基にｅＩＣＩＣアソシエートを更新することが望ましい。
【００１５】
本発明の第1の解決手段によると、
第１の基地局と第２の基地局を含む複数の基地局を備え、設定される少なくとも２つの基地局の組で、同時間帯の送信電力を調整して干渉制御を行う無線通信システムであって、
前記第２の基地局は、
配下の端末に対し、第２の基地局以外の前記複数の基地局からの受信電力が最大の基地局を特定し、該基地局の識別子と該受信電力を周期的に報告するよう指示する指示部と、
前記端末から報告される受信電力が所定値を上回る回数を基地局ごとに管理し、該所定値を上回る受信電力が報告された数が最多の前記第１の基地局を特定し、特定された第１の基地局と自第２の基地局とで、前記基地局の組を構成する判定部と
を有する前記無線通信システムが提供される。
本発明の第２の解決手段によると、
第１の基地局と第２の基地局を含む複数の基地局を備え、設定される少なくとも２つの基地局の組で、同時間帯の送信電力を調整して干渉制御を行う無線通信システムにおいて前記第２の基地局として使用される基地局であって、
配下の端末に対し、第２の基地局以外の前記複数の基地局からの受信電力が最大の基地局を特定し、該基地局の識別子と該受信電力を周期的に報告するよう指示する指示部と、
前記端末から報告される受信電力が所定値を上回る回数を基地局ごとに管理し、該所定値を上回る受信電力が報告された数が最多の前記第１の基地局を特定し、特定された第１の基地局と自第２の基地局とで、前記基地局の組を構成する判定部と
を有する前記基地局が提供される。
本発明の第３の解決手段によると、
第１の基地局と第２の基地局を含む複数の基地局を備え、設定される少なくとも２つの基地局の組で、同時間帯の送信電力を調整して干渉制御を行う無線通信システムにおける
前記基地局のアソシエート設定方法であって、
第２の基地局が、
配下の端末に対し、第２の基地局以外の前記複数の基地局からの受信電力が最大の基地局を特定し、該基地局の識別子と該受信電力を周期的に報告するよう指示することと、
前記端末から報告される受信電力が所定値を上回る回数を基地局ごとに管理し、該所定値を上回る受信電力が報告された数が最多の前記第１の基地局を特定することと、
特定された第１の基地局と自第２の基地局とで、前記基地局の組を構成すること
を含む前記アソシエート設定方法が提供される。
【発明の効果】
【００１６】
本発明によると、設定される基地局の組で協調して干渉制御を行うシステムにおいて、基地局の組を適切に設定して、過剰な設定によるシステム全体性能の劣化を防ぐ無線通信システム、基地局及び基地局のアソシエート設定方法を提供することができる。より具体的には、本発明によると、ＨｅｔＮｅｔ環境においてｅＩＣＩＣのアソシエートを適切に設定することで、過剰なｅＩＣＩＣ設定によるシステム全体性能の劣化を防ぐ無線通信システム、基地局及び基地局のアソシエート設定方法を提供することができる。
【図面の簡単な説明】
【００１７】
【図１】ＨｅｔＮｅｔの構成の説明図である。
【図２】ＨｅｔＮｅｔのマクロ基地局のＡＢＳパターンの一例を示す説明図である。
【図３】ＨｅｔＮｅｔの構成のほかの例を示す図である。
【図４Ａ】図３のＨｅｔＮｅｔの動作手順の一例を示す図である。
【図４Ｂ】図３のＨｅｔＮｅｔの動作手順のほかの例を示す図である。
【図５】本発明が解決しようとするＨｅｔＮｅｔの課題の説明図である。
【図６Ａ】第一の実施例の動作手順の一例を示す図である。
【図６Ｂ】第一の実施例におけるＨｅｔＮｅｔのＬＰＮの構成の一例を示す図である。
【図６Ｃ】第一の実施例の動作手順のほかの例を示す図である。
【図７】第一の実施例に係る、ＬＰＮによるｅＩＣＩＣアソシエート判定手順の示す図である。
【図８】第一の実施例に係る、最大受信電力リストの更新動作例の示す図である。
【図９Ａ】第二の実施例の動作手順の一例を示す図である。
【図９Ｂ】第二の実施例の動作手順のほかの例を示す図である。
【図１０】第二の実施例に係る、ＬＰＮによるｅＩＣＩＣアソシエート判定手順の示す図である。
【図１１】第三の実施例に係るＨｅｔＮｅｔの構成のほかの例を示す図である。
【図１２】第三の実施例の動作手順の一例を示す図である。
【図１３】Ｘ１インタフェースの説明図である。
【図１４】上位ＯＡＭ装置を含む無線通信システムの構成図である。
【図１５】ｅＩＣＩＣアソシエートの更新手順を示す図である。
【発明を実施するための形態】
【００１８】
以下、本発明の各実施形態を図面を参照して説明する。
図３は、ＨｅｔＮｅｔの構成例を示す図である。まず、本発明と既存システムとの差分をわかり易くし、本発明の理解を助けるために、図３、図４Ａ及び図４Ｂを参照して、背景となるＨｅｔＮｅｔのシステム及びｅＩＣＩＣについて説明する。なお、以下の記載及び関連する図面は、必ずしも従来技術を構成するものではない。
【００１９】
無線通信システムは、図３に示すように、マクロ基地局１と、低送信電力基地局ＬＰＮ３と、上位ＯＡＭ装置とを備える。図３の例においては、マクロ基地局１の通常エリア内に低送信電力基地局ＬＰＮ３−１及びＬＰＮ３−２が配置され、マクロ基地局１の通常エリア外には低送信電力基地局ＬＰＮ３−３が配置されている。
図１４は、上位ＯＡＭ装置１００と各基地局の接続関係を示す。マクロ基地局１やＬＰＮ３は、それぞれのネットワークＩ／Ｆとネットワーク１０２を介して、もしくは、直接、上位ＯＡＭ装置１０１と通信可能である。
【００２０】
図４Ａに、上位ＯＡＭ装置を用いてｅＩＣＩＣアソシエートを設定するシステムの動作手順の第一の例を示す。ｅＩＣＩＣアソシエートとは、ｅＩＣＩＣを実施する基地局間のペアリング（組）を設定すること（基地局同士を関連づけること）を指している。
【００２１】
図４Ａでは、マクロ基地局１の運用情報が既に上位ＯＡＭ装置に設定済みであり、マクロ基地局１では、ｅＩＣＩＣを行う全ての低送信電力基地局ＬＰＮ３とは同じＡＢＳパターンを参照することとする。その運用情報は、例えば運用周波数、送信電力、セルＩＤ、及び、緯度経度を含む基地局の設置場所などの情報を指す。また、前述のＡＢＳパターンは、マクロ基地局１にて生成済みであり、記憶されているものとする（Ｓ１１）。
【００２２】
低送信電力基地局ＬＰＮ３が運用開始する前に、保守者が上位ＯＡＭ装置１０２に、必要な運用情報を設定する（Ｓ１２／Ｓ１６）。低送信電力基地局ＬＰＮ３の運用に必要な運用情報は、マクロ基地局１の運用に必要な運用情報と同様である。上位ＯＡＭ装置１０１は、前述の低送信電力基地局ＬＰＮ３の運用情報の入力を受け、マクロ基地局１に低送信電力基地局ＬＰＮ３の運用情報を通知するとともに、保守者の指示を基に低送信電力基地局ＬＰＮ３に運用開始の指示を伝達する。この運用開始指示を受けた低送信電力基地局ＬＰＮ３は運用を開始する（Ｓ１４／Ｓ１７）。
【００２３】
マクロ基地局１は、上位ＯＡＭ装置１０１から低送信電力基地局の運用情報を内容とするＯＡＭ設定変更の通知を受け、低送信電力基地局ＬＰＮ３とｅＩＣＩＣを実施するか判断する（Ｓ１３／Ｓ１８）。既存のシステムでは、ｅＩＣＩＣを実施するか判断する方法の一例として、マクロ基地局１の設置場所（緯度経度）とマクロ基地局１の送信電力を基に算出されたマクロセル範囲に、低送信電力基地局ＬＰＮ３の設置場所が含まれるかを基に判断する方法が考えられる。例えば、マクロ基地局１の設置場所を中心とし、マクロ基地局１の最大送信電力を基に換算したセル半径を有する円形をマクロセル範囲とするマクロ基地局が、その円内に低送信電力基地局ＬＰＮ３−１及びＬＰＮ３−２の設置場所（緯度経度）が含まれていると判断されると、マクロ基地局１は、低送信電力基地局ＬＰＮ３−１をｅＩＣＩＣアソシエートすると判断する（Ｓ１３）。一方、マクロ基地局１がそのセルの円内に低送信電力基地局ＬＰＮ３−３の設置場所（緯度経度）を含んでいないと判断されると、低送信電力基地局ＬＰＮ３−３をｅＩＣＩＣアソシエートする必要がないと判断する（Ｓ１８）。
【００２４】
マクロ基地局１は、ｅＩＣＩＣアソシエートを行うと判断したＬＰＮ３−１及びＬＰＮ３−２にＡＢＳパターンを含むＡＢＳ  Ｉｎｆｏｒｍａｔｉｏｎを通知する（Ｓ１５）。マクロ基地局１と低送信電力基地局ＬＰＮ３−１及びＬＰＮ３−２間は図１３に示す３ＧＰＰ規定のＸ１インタフェースを用いて信号及び情報をやり取りする。
ｅＩＣＩＣアソシエートを行うと判断されたマクロ基地局１、低送信電力基地局ＬＰＮ３−１、３−２は、ｅＩＣＩＣを実施する。例えば、マクロ基地局１は、ＡＢＳパターン２０−１に従い、送信電力を制御し、低送信電力基地局ＬＰＮ３は、受信したＡＢＳパターン２０−１に従い、できるだけＡＢＳが設定されたサブフレーム（マクロ基地局１からの干渉が少ないサブフレーム）で信号が送信されるようにスケジューリングする。
【００２５】
その他の方法として、図４ＢにＯＡＭを用いてｅＩＣＩＣアソシエートの設定する第二の動作手順の例を示す。図４Ｂに示す第一の動作手順例との違いは、マクロ基地局１の代わりに、上位ＯＡＭ装置１０１がマクロ基地局１と低送信電力基地局ＬＰＮ３間にてｅＩＣＩＣを実施するがあるか判断することである。図４Ａと同様に、前述のＡＢＳパターンはマクロ基地局１にて生成済みとする（Ｓ２１）。
【００２６】
低送信電力基地局ＬＰＮ３の運用開始前に、保守者が上位ＯＡＭ装置１０１に必要な運用情報を設定する（Ｓ２２／Ｓ２７）。上位ＯＡＭ装置１０１は、前述の低送信電力基地局ＬＰＮ３の運用情報の入力を受け、保守者の指示を基に低送信電力基地局ＬＰＮ３に運用開始の指示を伝達する。前述の運用開始指示を受けた低送信電力基地局ＬＰＮ３は運用を開始する（Ｓ２４／Ｓ２８）。上位ＯＡＭ装置１０１は、前述の低送信電力基地局ＬＰＮ３の運用情報の入力を受け、既に設定されているマクロ基地局１の運用情報と合わせて、マクロ基地局１と低送信電力基地局ＬＰＮ３間にてｅＩＣＩＣを実施するか判断する。判断する手法は図４Ａに示す動作例と同様に、マクロ基地局１の設置場所（緯度経度）及びマクロ基地局１の送信電力を基に算出されたマクロセル範囲に、低送信電力基地局の設置場所が含まれるかを基に判断することができる。図３の構成においては、上位ＯＡＭ装置１０１は、図４Ｂに示すように、低送信電力基地局ＬＰＮ３−１及びＬＰＮ３−２をマクロ基地局１とｅＩＣＩＣアソシエートすると判断し、ＯＡＭ設定変更の通知をマクロ基地局１に送信し、低送信電力基地局ＬＰＮ３−１及びＬＰＮ３−２をマクロ基地局１とｅＩＣＩＣアソシエートすることを伝達する（Ｓ２５）。前述のＯＡＭ設定変更の通知を受信したマクロ基地局１は、ＡＢＳパターンを含むＡＢＳ  ＩｎｆｏｒｍａｔｉｏｎをＬＰＮ３−１及びＬＰＮ３−２に通知する（Ｓ２６）。一方、図３の構成においては、上位ＯＡＭ装置１０１は、低送信電力基地局ＬＰＮ３−３とマクロ基地局とをｅＩＣＩＣアソシエートする必要がないと判断する（Ｓ２９）。
【００２７】
図５に示すＨｅｔＮｅｔの構成を用いて、前述のシステムの課題について説明する。図５において、マクロ基地局１の通常エリア内に低送信電力基地局ＬＰＮ３−１、ＬＰＮ３−２及びＬＰＮ３−３が配置されており、遮蔽物が存在したり、地下に設置されることなどの要因で低送信電力基地局ＬＰＮ３−３はマクロ基地局１から干渉を受けにくい場合を想定する。
【００２８】
図５が示すＨｅｔＮｅｔの構成に図４Ａ若しくは図４Ｂに示す動作手順を適用すると、低送信電力基地局ＬＰＮ３−１、ＬＰＮ３−２及びＬＰＮ３−３の全部についてマクロ基地局１とｅＩＣＩＣを実施すると判断され、マクロ基地局１と低送信電力基地局ＬＰＮ３−１、ＬＰＮ３−２及びＬＰＮ３−３はそれぞれ、ｅＩＣＩＣアソシエートされ、ｅＩＣＩＣが実施されることになる。前述のように、遮蔽物の存在や地下に設置されることなどの要因で低送信電力基地局ＬＰＮ３−３の配下のＬＰＮ端末がマクロ基地局１から干渉を受けにくいため、低送信電力基地局ＬＰＮ３−３にとっては不要なＡＢＳとなる。ＬＰＮ３−３に対して、不要なＡＢＳの実施を取りやめることができれば、ＬＰＮ３−３のスループットを含めて性能が向上できる。
【００２９】
上述の課題を解決する第一の実施例について、図６Ａ、図６Ｂ、図６Ｃ、図７及び図８を参照して以下説明する。
【００３０】
（実施例１）
本実施例における無線通信システムは、図１４に示す構成と同様に、マクロ基地局１と、低送信電力基地局ＬＰＮ３と、上位ＯＡＭ装置１０１とを備える。ＬＰＮ端末２は、マクロ基地局１及び低送信電力基地局ＬＰＮ３と無線で通信する端末である。
図６Ａは、第一の実施例の動作手順の一例を示す図である。図４Ａ若しくは図４Ｂの既存動作例と同様、マクロ基地局１の運用情報が既に上位ＯＡＭ装置１０１に設定済みであり、マクロ基地局１では、ｅＩＣＩＣを行う全ての低送信電力基地局とは同じＡＢＳパターンを参照することとする。また、前述のＡＢＳパターンはマクロ基地局１にて生成済みとする（Ｓ３１）。ＡＢＳパターンの構成及び生成手法は、従来と同様でもよいし、他の適宜の方法でもよい。
【００３１】
図６Ａに示すように、低送信電力基地局ＬＰＮ３−１が運用を開始する前に、保守者が上位ＯＡＭ装置１０１に低送信電力基地局ＬＰＮ３の運用情報を設定する（Ｓ３２）。保守者の指示を基に上位ＯＡＭ装置１０１より低送信電力基地局ＬＰＮ３−１に運用開始の指示を伝達する。
【００３２】
前述の運用開始指示を受けた低送信電力基地局ＬＰＮ３−１は運用を開始する（Ｓ３３）。ＬＰＮ３−１は、運用開始後、自局の配下にいる（自局に接続している）ＬＰＮ端末２−１に、周囲の基地局の中で受信電力最大の基地局のＩＤ（セルＩＤ）と、その基地局からの受信電力（ＲＳＲＰ：Ｒｅｆｅｒｅｎｃｅ  Ｓｉｇｎａｌ  Ｒｅｃｅｉｖｅｄ  Ｐｏｗｅｒ）を、例えば周期的（例えば５００ｍｓ周期）に自局に報告するように指示する（Ｓ３４）。なお、自局からの電波の受信電力を報告対象にすることもできる。ここでの受信電力は、ＬＰＮ端末２が受信する電波の受信電力である。
【００３３】
低送信電力基地局ＬＰＮ３−１から報告指示を受信したＬＰＮ端末２−１は、周囲の基地局の中で受信電力最大の基地局のセルＩＤとその基地局からの受信電力とを周期的に低送信電力基地局ＬＰＮ３−１に報告する（Ｓ３５）。例えば、ＬＰＮ端末２−１は、各基地局からの電波の受信電力を測定し、測定された受信電力に基づき受信電力最大の基地局を特定し、その基地局のセルＩＤと、測定された受信電力を報告指示の送信元に報告する。なお、受信電力の測定は、適宜のタイミングで行ってもよい。また、本実施例では、受信電力最大の基地局を特定する際に、報告指示の送信元の基地局は除外する。
【００３４】
低送信電力基地局ＬＰＮ３は、ＬＰＮ端末２−１から受信した情報を基にオーバーラップしている基地局若しくは自局に干渉を及ぼすマクロ基地局の有無を判定する（Ｓ３６）。判定手順については、図７を参照して後に詳細に述べる。
【００３５】
低送信電力基地局ＬＰＮ３は、ステップＳ３６で、低送信電力基地局ＬＰＮ３−１がオーバーラップしている基地局が存在すると判定すると、該当基地局とアソシエートすることを決定し、該当基地局（例えばマクロ基地局１）にＡＢＳパターンを要求する（Ｓ７）。低送信電力基地局ＬＰＮ３３−１よりＡＢＳパターン要求を受信したマクロ基地局１は、ＡＢＳパターンを含むＡＢＳ  Ｉｎｆｏｒｍａｔｉｏｎを低送信電力基地局ＬＰＮ３−１に通知する（Ｓ３８）。マクロ基地局１と低送信電力基地局ＬＰＮ３−１間は図１３に示す３ＧＰＰ規定のＸ１インタフェースを用いてやり取りする。
【００３６】
図６Ｂは、図５の低送信電力基地局ＬＰＮ３の構成の一例を示すブロック図である。
【００３７】
低送信電力基地局ＬＰＮ３は、例えば、アンテナ１１と、ＲＦ部（無線信号処理部）１２と、ベースバンド信号処理部１３と、Ｌ２／Ｌ３プロセッサ（指示部）１４と、ｅＩＣＩＣアソシエート判定部（判定部）１５と、ネットワークＩ／Ｆ１６とを有する。
【００３８】
アンテナ１１は、ＲＦ部１２から転送された下りリンクのＲＦ（Ｒａｄｉｏ  Ｆｒｅｑｕｅｎｃｙ）信号（無線信号）を送信する。また、アンテナ１１は、端末から送信された上りリンクのＲＦ信号を受信する。ＲＦ部１２は、ベースバンド信号処理部１３から入力された下りリンクのベースバンド信号をＲＦ信号へと変換し、アンテナ１１を介してそれを送信する。また、ＲＦ部１２は、アンテナ１１から入力された上りリンクのＲＦ信号をベースバンド信号へと変換し、ベースバンド信号処理部１３へ入力する。
【００３９】
ベースバンド信号処理部１３は、Ｌ２／Ｌ３プロセッサ１４から入力される各端末の下りリンクのデータ及び制御信号の物理層の信号処理、物理層の制御信号の生成、及び、ＲＦ部１２から入力される上りリンクのデータ及び制御信号などの物理層の信号処理を行う。下りリンクの信号処理は、具体的には、データ信号及び制御信号の誤り訂正符号化、レートマッチング、変調、レイヤマッピングやＰｒｅｃｏｄｉｎｇ等のＭＩＭＯ信号処理、リソースエレメントへのマッピング、ＩＦＦＴ（Ｉｎｖｅｒｓｅ  Ｆａｓｔ  Ｆｏｕｒｉｅｒ  Ｔｒａｎｓｆｏｒｍ）などである。端末が伝搬路推定やＣＱＩ、受信電力の測定などを行うために用いる参照信号（ＲＳ：Ｒｅｆｅｒｅｎｃｅ  Ｓｉｇｎａｌ）の生成やリソースエレメントへの挿入なども行う。以上の信号処理によって生成されたベースバンド信号は、ＲＦ部１２へと送信される。上りリンクの信号処理は、ＲＦ部１２から入力された信号に対し、ＦＦＴ、リソースエレメントのデマッピング、ＭＩＭＯ受信重みの乗算やレイヤデマッピング等のＭＩＭＯ信号処理、復調、誤り訂正復号などを行う。上りリンクのＲＳを用いたチャネル推定や受信電力測定、上りリンクのＣＱＩ測定なども行う。復号されたデータ信号や制御信号はＬ２／Ｌ３プロセッサへ１４と送信される。
【００４０】
Ｌ２／Ｌ３プロセッサ１４は、基地局のＬａｙｅｒ２及びＬａｙｅｒ３の処理を行うプロセッサである。Ｌ２／Ｌ３プロセッサ１４は、通信を行う端末や当該端末に割当てる時間及び周波数リソースを決定するスケジューリングを行う。Ｌ２／Ｌ３プロセッサ１４は、低送信電力基地局ＬＰＮ３の運用開始の直後に自局の配下にいる端末に受信電力を周期的に報告させ、端末から受信した受信電力の報告をｅＩＣＩＣアソシエート判定部１５に通知する。Ｌ２／Ｌ３プロセッサ１４は、マクロ基地局１からネットワークＩ／Ｆ１６を介して送信されたＡＢＳ  Ｉｎｆｏｒｍａｔｉｏｎを受信し、そのＡＢＳ  Ｉｎｆｏｒｍａｔｉｏｎに基づき、端末への送信のスケジューリングも行う。
【００４１】
ｅＩＣＩＣアソシエート判定部１５は、Ｌ２／Ｌ３プロセッサ１４から通知された端末の受信電力報告に基づいて、ｅＩＣＩＣアソシエートを決定する部分であり、図示を省略した中央処理部（Ｃｅｎｔｒａｌ  Ｐｒｏｃｅｓｓｉｎｇ  Ｕｎｉｔ：ＣＰＵ）などの処理部で実現できる。ｅＩＣＩＣアソシエートを決定する方法としては、ＣＰＵのプログラム処理により、端末から報告された受信電力値を予め決められた閾値と比較し、その比較の結果に基づいてｅＩＣＩＣアソシエートを決定する、詳細は図７及び図９を参照して後述する。また、ｅＩＣＩＣアソシエート判定部１５は、決定されたｅＩＣＩＣアソシエートの相手となるマクロ基地局１に、ネットワークＩ／Ｆ１６を介してＡＢＳパターンを要求する。
【００４２】
ネットワークＩ／Ｆ１６は、低送信電力基地局ＬＰＮ３がバックホール回線を通じて、コアネットワークに接続するためのインタフェースである。ネットワークＩ／Ｆ１６を介して、コアネットワークと接続することで、低送信電力基地局ＬＰＮ３は、マクロ基地局１を含む他の基地局と通信することができる。
【００４３】
図７は、第一の実施例に係る、ＬＰＮによるｅＩＣＩＣアソシエート判定手順の示す図である。図７に示すフローチャートを用いて低送信電力基地局ＬＰＮ３が実施する詳細なｅＩＣＩＣアソシエート判定手順を説明する。例えばイベントドリブン方式でＬＰＮ３がＬＰＮ端末２より報告メッセージを受信する度に（Ｓ４１）、処理を開始させる。まず、ＬＰＮ３は、該当メッセージの内容が空であるか（受信電力値が入って無いか）を確認する（Ｓ４２）。ＬＰＮ３は、該当メッセージの内容は空である場合、何もせず処理を終了させる。該当メッセージは空ではない場合、ＬＰＮ３は、報告メッセージに含まれる受信電力値ＰＭを事前に設定された閾値Ｐｔｈと比較し（Ｓ４３）、受信電力値ＰＭが閾値Ｐｔｈ以上の場合、すなわち、以下の数式（１）を満たす場合、該当受信電力値ＰＭ及び対応する基地局のセルＩＤを基に最大受信電力リストを更新する（Ｓ４４）。
【数１】
2016006929.tif 000003
【００４４】
最大受信電力リストは低送信電力基地局ＬＰＮ３が保持するテーブルであり、適宜のメモリ（図示せず）に記録することができる。最大受信電力リストにはセルＩＤと該当セルＩＤを受信した回数が対応して記録される（図８参照）。なお、本実施例では、最大受信電力リストは受信回数の降順で並べ替えられるが、これに限定されるものではない。
【００４５】
ＬＰＮ３は、最大受信電力リストを更新した後に、今回受信したＬＰＮ端末２からの報告は最後の報告であるか判定する（Ｓ４５）。例えば、ＬＰＮ３に、予め判定に必要とする端末からの報告回数が設定される。ＬＰＮ端末２から最大受信電力報告を受信する毎に、受信回数をカウントアップし、予め設定されたＬＰＮ端末２からの期待される報告回数と比較すれば、今回の報告が最後の報告であるか判定できる。なお、ＬＰＮ端末２からの報告メッセージが欠落して、カウントアップが正確にできない場合もあるため、ＬＰＮ３は起動後に自局の配下にいるＬＰＮ端末２に最大受信電力を報告するよう指示する際に、ＬＰＮ端末２の報告期間に設定されたタイマを開始させ、該当タイマが満了する際にそれ以上にＬＰＮ端末２から報告がないことも分かる。ＬＰＮ３はＬＰＮ端末２から最後の報告だと判定すると（Ｓ４５）、最大受信電力リストを確認する（Ｓ４６）とともに、ＬＰＮ端末２に報告の停止指示を送信する。受信電力停止指示を受信したＬＰＮ端末２は、受信電力の報告を停止する。
【００４６】
前述のように、最大受信電力リストは常に受信回数の降順で並べ替えられているため、リストの先頭に並べられているセルＩＤが受信回数最多の基地局であり、その基地局をオーバーラップしている基地局と見なす。最大受信電力リストは常に降順で並べ替えられない場合、最大受信電力リストから受信回数最多の基地局をサーチすれば良い。
なお、本実施例では、受信回数が最多の１つの基地局を特定するが、これに限らず、前述の受信回数が所定値以上の複数の基地局を特定してもよい。例えば、低送信電力基地局ＬＰＮ３が、複数のマクロ基地局１のセルがオーバーラップする位置に配置される場合などには、両基地局からの干渉を受ける場合がある。
【００４７】
図８は、受信電力値ＰＭ及びそれに対応する基地局のセルＩＤを基に最大受信電力リストを更新する手順を示す。ここでは、一例として、セルＩＤ＝１０１の基地局とセルＩＤ＝２０２の基地局についてそれぞれ二回数式（１）を満たす受信電力が報告されたこととする。このとき、最大受信電力リストは、図８左上のようになる。この状態から、セルＩＤ＝１０１、セルＩＤ＝２０２及びセルＩＤ＝３０３の各基地局から、数式（１）を満たす受信電力が報告される際に、最大受信電力リストがどう変更されるか説明する。
【００４８】
セルＩＤ＝１０１の基地局から数式（１）を満たす受信電力が報告される場合（Ｓ５１）、最大受信電力リストに既にセルＩＤ＝１０１の記録が存在するため、ＬＰＮ３は、セルＩＤ＝１０１の受信回数に１加算する、リストは既に降順となっているため、並べ替えを行っても入れ替えが発生せず処理が終了する。一方、セルＩＤ＝２０２の基地局から数式（１）を満たす受信電力が報告される場合（Ｓ５２）、セルＩＤ＝１０１の基地局の電力が報告される場合と同様に、最大受信電力リストに既にセルＩＤ＝２０２の記録が存在するため、ＬＰＮ３は、セルＩＤ＝２０２に対応する受信回数に１加算する。セルＩＤ＝２０２の受信回数は３となり、最大となっているため、降順で並べ替えされ、最大受信電力リストの先頭に入れ替えられる。また、セルＩＤ＝３０３の基地局から数式（１）を満たす受信電力が報告される場合（Ｓ５３）、最大受信電力リストにセルＩＤ＝３０３の記録が存在しないため、ＬＰＮ３は、セルＩＤ＝３０３の記録を新規作成して、最大受信電力リストの終端に挿入する。既に降順となっているため、並べ替えを行っても入れ替えが発生せず処理が終了する。
【００４９】
図６Ｃは、第一の実施例の動作手順の他の例を示す図である。Ｓ３１からＳ３５までの手順は、図６Ａの対応する処理と同様で良い。同じく図７に示した手順を実施した結果、Ｓ３６では、ＬＰＮ３−３がＬＰＮ端末２−３から受信した受信電力最大のセルＩＤと受信電力の報告メッセージは内容が空である（受信電力値が入って無い）若しくは値が十分に小さい受信電力となることで、ＬＰＮ３−１がオーバーラップしている基地局が存在しないことを判定し、マクロ基地局１とｅＩＣＩＣアソシエートを行わない。前述の十分に小さい受信電力とは、受信電力が数式（１）を満たさないほど小さい値であることを意味する。
本実施例によると、ＨｅｔＮｅｔ環境においてｅＩＣＩＣアソシエートを適切に設定することができ、過剰なｅＩＣＩＣ設定によるシステム全体性能の劣化を防ぐことができる。
【００５０】
（実施例２）
図９Ａは、第二の実施例の動作手順の一例を示す図であり、図９Ｂは、第二の実施例の動作手順のほかの例を示す図である。図９Ａ及び図９Ｂに従い第二の実施例を説明する。第二の実施例では、ＬＰＮ３はＬＰＮ端末２から報告される周囲の基地局の受信電力だけを基にオーバーラップしている基地局があるか判定するのではなく、ＬＰＮ３は周囲の基地局の受信電力と自局からの受信電力を基にオーバーラップしている基地局があるか判定する。
【００５１】
図９ＡのステップＳ６１〜Ｓ６３は、第一の実施例と同様である。上位ＯＡＭ装置１０１より運用開始指示を受けた低送信電力基地局ＬＰＮ３−１は運用を開始した後、自局の配下にいる（自局に接続している）ＬＰＮ端末２−１に、自セルからの受信電力と、周囲の基地局の中で受信電力最大の基地局のセルＩＤとその基地局からの受信電力（ＲＳＲＰ：Ｒｅｆｅｒｅｎｃｅ  Ｓｉｇｎａｌ  Ｒｅｃｅｉｖｅｄ  Ｐｏｗｅｒ）とを、周期的（例えば５００ｍｓ周期）に自局に報告するように指示する（Ｓ６４）
【００５２】
低送信電力基地局ＬＰＮ３−１から報告指示を受信したＬＰＮ端末２−１は、低送信電力基地局ＬＰＮ３−１からの受信電力と、周囲の基地局の中で受信電力最大の基地局のセルＩＤとその基地局からの受信電力を周期的に低送信電力基地局ＬＰＮ３−１に報告する（Ｓ６５）。低送信電力基地局ＬＰＮ３−１は、ＬＰＮ端末２−１から受信した情報を基にオーバーラップしている基地局若しくは自局に干渉を及ぼすマクロ基地局の有無を判定する（Ｓ６６）。
【００５３】
図１０のフローチャート用いて、第二の実施例において低送信電力基地局ＬＰＮ３が実施する詳細な判定手順を説明する。
【００５４】
例えばイベントドリブン方式で低送信電力基地局ＬＰＮ３がＬＰＮ端末２より報告メッセージを受信する度に（Ｓ７１）、処理を開始する。まず、低送信電力基地局ＬＰＮ３は、該当メッセージに自セル以外の受信電力情報が含まれているかを確認する（Ｓ７２）。自セル以外の受信電力情報は含まれてない場合、何もせず処理を終了させる。一方、自セル以外の受信電力情報が含まれる場合、低送信電力基地局ＬＰＮ３は、メッセージに含まれる受信電力値ＰＭと自セルの受信電力Ｐｓｅｌｆの差分と、事前に設定された閾値Ｐｔｈとを比較し、差分が閾値以下の場合、すなわち、数式（２）を満たす場合、該当受信電力値ＰＭ及び対応する基地局のセルＩＤを基に最大受信電力リストを更新する（Ｓ７４）。
【数２】
2016006929.tif 000004
【００５５】
その後の処理は第一の実施例と同様である。図９Ｂは、オーバーラップしている基地局がないと判定される場合の例である。判定結果が異なる点以外は、図９Ａの処理と同様である。
本実施例によると、マクロ基地局１や低送信電力基地局ＬＰＮ３からの電波が弱くても、ｅＩＣＩＣアソシエートを設定するか判定できる。
【００５６】
（実施例３）
図１１のＨｅｔＮｅｔの構成を用いて、あるＬＰＮ３の配下に複数の端末２が存在するシナリオについて説明する。図１１において、マクロ基地局１の通常エリア内に低送信電力基地局ＬＰＮ３−１、ＬＰＮ３−２及びＬＰＮ３−３が配置され、遮蔽物の存在や地下に設置されることなどの要因で低送信電力基地局ＬＰＮ３−３はマクロ基地局１から干渉を受けにくい。また、ＬＰＮ３−１の配下に複数のＬＰＮ端末、例えばＬＰＮ端末２−１とＬＰＮ端末２−４が存在する。
【００５７】
図１２示すように、低送信電力基地局ＬＰＮ３−１が運用を開始する前に、保守者が上位ＯＡＭ装置１０１に運用情報を設定する（Ｓ８２）。保守者の指示を基に上位ＯＡＭ装置１０１より低送信電力基地局ＬＰＮ３−１に運用開始の指示を伝達する。なお、ＡＢＳパターンはマクロ基地局１で決定されている（Ｓ８１）。
【００５８】
上述の運用開始指示を受けた低送信電力基地局ＬＰＮ３−１は運用を開始する（Ｓ８３）。ＬＰＮ３−１は運用開始後、自局の配下にいる（自局に接続している）全てのＬＰＮ端末、図１２の例ではＬＰＮ端末２−１とＬＰＮ端末２−４に、周囲の基地局の中で受信電力最大の基地局のセルＩＤとその基地局の受信電力（ＲＳＲＰ：Ｒｅｆｅｒｅｎｃｅ  Ｓｉｇｎａｌ  Ｒｅｃｅｉｖｅｄ  Ｐｏｗｅｒ）を周期的（例えば５００ｍｓ周期）に自局に報告するように指示する（Ｓ８４）。
【００５９】
低送信電力基地局ＬＰＮ３−１から報告指示を受信したＬＰＮ端末２−１及びＬＰＮ端末２−４はそれぞれ、周囲の基地局の中で受信電力最大の基地局のセルＩＤとその基地局の受信電力を周期的に低送信電力基地局ＬＰＮ３−１に報告する（Ｓ８５）。低送信電力基地局ＬＰＮ３−１は、ＬＰＮ端末２−１及びＬＰＮ２−４から受信した情報を基にオーバーラップしている基地局若しくは自局に干渉を及ぼすマクロ基地局の有無を判定する（Ｓ８６）。
【００６０】
判定の詳細手順は図７のフローチャートに示す手順で良い。低送信電力基地局ＬＰＮ３−１は受信電力の報告メッセージを受信する毎に、報告メッセージの送信元を意識せず、メッセージの内容を基に最大受信電力リストを更新すれば良い。予め設定された受信回数分の報告メッセージを受信できると、最大受信電力リストを確認することとともに、自局配下の全てのＬＰＮ端末２に報告の停止指示を送信する。受信電力停止指示を受信した各ＬＰＮ端末２は受信電力の報告を停止する。
【００６１】
最大受信電力リストの内容を基に、低送信電力基地局ＬＰＮ３−１がオーバーラップしている基地局が存在すると判定でき、ＬＰＮ３−１は該当基地局とアソシエートすることを実施し、該当基地局（例えばマクロ基地局１）にＡＢＳパターンを要求する（Ｓ８７）。ＬＰＮ３−１よりＡＢＳパターン要求したマクロ基地局１はＡＢＳパターンを含むＡＢＳ  ＩｎｆｏｒｍａｔｉｏｎをＬＰＮ３−１に通知する（Ｓ８８）。マクロ基地局１と低送信電力基地局ＬＰＮ３−１間は図１３に示す３ＧＰＰ規定のＸ１インタフェースを用いてやり取りする。
なお、本実施例では、第一の実施例の処理に沿って説明したが、第二の実施例の処理を用いてもよい。
本実施例によると、低送信電力基地局ＬＰＮ３の配下に複数の端末が存在しても、ｅＩＣＩＣを適切に設定できる。
【００６２】
（実施例４）
上述の各実施例では、低送信電力基地局ＬＰＮ３が運用を開始する際の処理を説明したが、運用開始後、一定期間後に又は予め定められた更新周期毎に、ｅＩＣＩＣアソシエートを実施する基地局のペアリングを更新してもよい。
例えば、セル内にビルを新築したりや解体することなどによって電波環境に変化が発生する可能性があるため、一定の期間（例えば一か月）毎に、低送信電力基地局ＬＰＮ３が配下にある端末２に受信電力最大セルＩＤ及び受信電力を報告させ、報告された情報を基にｅＩＣＩＣアソシエートを更新することが望ましい。
【００６３】
例えば、低送信電力基地局ＬＰＮ３は、ｅＩＣＩＣアソシエートの更新周期が設定されたタイマをさらに備えてもよい。本実施例では、タイマが満了することを契機に、上述の各実施例の処理を行う。処理の内容は、第一乃至第三の実施例と同様である。
図１５は、ｅＩＣＩＣアソシエートの更新手順を示す図である。前述と同様に、ＡＢＳパターンはマクロ基地局１で予め決定されている（Ｓ９１）。更新周期が設定されたタイマが満了すると（Ｓ９２）、ステップＳ３４以降の処理を実行する。ステップＳ３４以降の処理は、前述の実施例の処理と同様である。
【００６４】
（構成例）
［構成例１］
無線通信システムであって、他の基地局に対して干渉を及ぼすマクロ基地局と、マクロ基地局から干渉を受ける低送信電力基地局と、低送信電力基地局が起動後一定時間内に、低送信電力基地局に周期的に受信電力最大のセルのＩＤと受信電力を報告する配下の端末と、予め設定された閾値を上回る受信電力が報告された数が最多のセルを、オーバーラップしているマクロ基地局と見なし、ｅＩＣＩＣアソシエートを自動的に行う設定部を有することを特徴とする無線通信システム。
【００６５】
［構成例２］
構成例１に記載の無線通信システムであって、低送信電力基地局は端末から受信した受信電力値を予め設定された閾値と比較する決定部を有することを特徴とする無線通信システム。
【００６６】
［構成例３］
構成例２に記載の無線通信システムであって、予め設定された閾値を上回る受信電力が報告された数が最多のセルを、オーバーラップしているマクロ基地局と見なし、ｅＩＣＩＣアソシエートを自動的に行う設定部を有することを特徴とする無線通信システム。
【００６７】
［構成例４］
他の基地局に対して干渉を及ぼすマクロ基地局から干渉を受ける低送信電力基地局であって、起動後一定期間内に低送信電力基地局に接続する端末に受信電力最大のセルのＩＤと受信電力を周期的に報告させ、端末から受信した受信電力値を予め設定された閾値と比較し、予め設定された閾値を上回る受信電力が報告された数が最多のセルを、オーバーラップしているマクロ基地局と見なし、ｅＩＣＩＣアソシエートを自動的に行うことを特徴とする低送信電力基地局。
【００６８】
［構成例５］
他の基地局に対して干渉を及ぼすマクロ基地局から干渉を受ける低送信電力基地局におけるアソシエート設定方法であって、起動後一定期間内に低送信電力基地局に接続する端末に受信電力最大のセルのＩＤと受信電力を周期的に報告させ、端末から受信した受信電力値を予め設定された閾値と比較し、予め設定された閾値を上回る受信電力が報告された数が最多のセルを、オーバーラップしているマクロ基地局と見なし、ｅＩＣＩＣアソシエートを行うことを特徴とするｅＩＣＩＣアソシエート設定方法。
【００６９】
（付記）
上述の各実施例では、カバーするセルが比較的大きいマクロ基地局と、マクロ基地局と比べてカバーするセルが小さい低送信電力基地局とについて説明したが、これに限らず、複数の基地局で送信電力を調整して干渉制御を行うシステムであれば各実施例を適用できる。例えば、第１の基地局がカバーするセル内に第２の基地局が配置されている構成や、第１の基地局がカバーするセルと第２の基地局がカバーするセルの少なくとも一部がオーバーラップする構成にも適用可能である。
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００７１】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７２】
１    マクロ基地局
２      ＬＰＮ端末
３      低送信電力基地局ＬＰＮ
１０１  上位ＯＡＭ装置
１４    Ｌ２／Ｌ３プロセッサ
１５    ｅＩＣＩＣアソシエート判定部
【図１】
2016006929.tif 000005
【図２】
2016006929.tif 000006
【図３】
2016006929.tif 000007
【図４Ａ】
2016006929.tif 000008
【図４Ｂ】
2016006929.tif 000009
【図５】
2016006929.tif 000010
【図６Ａ】
2016006929.tif 000011
【図６Ｂ】
2016006929.tif 000012
【図６Ｃ】
2016006929.tif 000013
【図７】
2016006929.tif 000014
【図８】
2016006929.tif 000015
【図９Ａ】
2016006929.tif 000016
【図９Ｂ】
2016006929.tif 000017
【図１０】
2016006929.tif 000018
【図１１】
2016006929.tif 000019
【図１２】
2016006929.tif 000020
【図１３】
2016006929.tif 000021
【図１４】
2016006929.tif 000022
【図１５】
2016006929.tif 000023